(57)【要約】【課題】  遊技機の設置環境や遊技中の状態などの遊技機の周辺環境による遊技機の管理作業への影響を緩和することによって、遊技場管理者の管理作業を効率的に行うことが可能な遊技機を提供することである。【解決手段】  遊技機１１０は、遊技球が転動する遊技領域１１５を前面側に形成する枠体２と、枠体２の前面に、光透過性素材を有し遊技領域１１５を視認可能に設けられた扉１とを備え、扉１は、その左右両側に枠体２に対して前方へ回動自在に軸支する垂直滑動回動軸１１，１２が夫々配置されている。【選択図】        図４
2007075459.tif 000002
【特許請求の範囲】
【請求項１】
遊技球が転動する遊技領域を前面側に形成する遊技機枠体と、
前記遊技機枠体の前面に、光透過性素材を有し前記遊技領域を視認可能に設けられた扉とを備えた遊技機であって、
前記扉は、その左右両側に前記遊技機枠体に対して前方へ回動自在に軸支する回動軸が夫々配置されていることを特徴とする遊技機。
【請求項２】
前記遊技機枠体には、前記遊技領域の下方における左右のいずれか一方に、遊技者による操作に応じて遊技球を前記遊技領域に向けて発射する発射操作手段が配置され、
各前記回動軸のうちの前記発射操作手段が配置されていない側の回動軸を支軸として回動する前記扉の回動軌動面を外して前記発射操作手段が配置されていることを特徴とする請求項１に記載の遊技機。
【請求項３】
前記遊技機枠体は、前記遊技領域の下方左側に、前記発射操作手段が配置され、
前記扉には、前記遊技領域に向けて発射するための遊技球を貯留する発射球貯留部と、遊技者によって操作可能な操作手段とが備えられ、
各前記回動軸のうちの右側の回動軸を支軸として回動する前記扉の回動軌動を外して前記発射操作手段が配置されていることを特徴とする請求項２に記載の遊技機。
【発明の詳細な説明】
【技術分野】
【０００１】
本発明は、例えば、パチンコ遊技装置、パチスロ遊技装置、スロットマシン等の遊技機に関する。
【背景技術】
【０００２】
従来のパチンコ遊技機では、遊技盤を覆う枠体の前面に取り付けられた扉は、左側を支軸として開放するように形成されている（特許文献１  図２参照）。
【特許文献１】特開２００５−５２２３１号公報
【発明の開示】
【発明が解決しようとする課題】
【０００３】
しかしながら、左側を支軸として扉を開放した場合に、パチンコ遊技場において、パチンコ遊技機を配置したレイアウト上の問題により、左側を支軸として右側から開放することが困難な場合もあり、このような場合はパチンコ遊技機自体を移動させて、パチンコ遊技機前面の扉を開放するようにしていたため、作業性が非常に悪くなっていた。
【０００４】
さらに、パチンコ遊技場特有の事情として、パチンコ遊技が行われることにより遊技者に与えられた賞球が溜まった場合に、専用のカゴに入れて遊技者の周囲に積み上げることが多く、パチンコ遊技機の扉の開放方向とこの積み上げられたカゴとの相対的な位置関係によっては、積み上げられたカゴの存在がパチンコ遊技場管理者の作業の妨げとなる場合もあった。
【０００５】
本発明は、上述したような課題に鑑みてなされたものである。その目的は、遊技機の設置環境や遊技中の状態などの遊技機の周辺環境による遊技機の管理作業への影響を緩和することによって、遊技場管理者の管理作業を効率的に行うことが可能な遊技機を提供することである。
【課題を解決するための手段】
【０００６】
以上のような目的を達成するために、本発明は、以下のようなものを提供する。
【０００７】
（１）  遊技球が転動する遊技領域を前面側に形成する遊技機枠体と、前記遊技機枠体の前面に、光透過性素材を有し前記遊技領域を視認可能に設けられた扉とを備えた遊技機であって、前記扉は、その左右両側に前記遊技機枠体に対して前方へ回動自在に軸支する回動軸が夫々配置されていることを特徴とする遊技機。
【０００８】
（１）の発明によれば、遊技機枠体の前面に設けられた扉の左右両側に遊技機枠体に対して前方へ回動自在に軸支する回動軸を夫々配置することで、この扉を左右両側のいずれの側からも開閉することが可能となる。これにより、遊技場の管理者が左右いずれの側からも上記扉を開放して作業を行うことができるため、遊技機の設置環境や遊技中の状態などの遊技機の周辺環境による遊技機の管理作業への影響を緩和することによって、遊技場管理者の管理作業を効率的に行うことが可能な遊技機を提供することが可能となる。
【０００９】
（２）  前記遊技機枠体には、前記遊技領域の下方における左右のいずれか一方に、遊技者による操作に応じて遊技球を前記遊技領域に向けて発射する発射操作手段が配置され、各前記回動軸のうちの前記発射操作手段が配置されていない側の回動軸を支軸として回動する前記扉の回動軌動面を外して前記発射操作手段が配置されていることを特徴とする（１）に記載の遊技機。
【００１０】
（２）の発明によれば、遊技機枠体の遊技領域の下方における左右のいずれか一方に発射操作手段が配置され、この発射操作手段が配置されていない側の回動軸を支軸として回動する扉の回動軌動を外して発射操作手段を配置することによって、扉を発射操作手段と接触することなく開放することが可能となる。これにより、遊技場の管理者が扉と発射操作手段が接触する煩わしさを感じることなく上記扉を開放して作業を行うことができるため、遊技機の設置環境や遊技中の状態などの遊技機の周辺環境による遊技機の管理作業への影響を緩和することによって、遊技場管理者の管理作業を効率的に行うことが可能な遊技機を提供することが可能となる。
【００１１】
（３）  前記遊技機枠体は、前記遊技領域の下方左側に、前記発射操作手段が配置され、前記扉には、前記遊技領域に向けて発射するための遊技球を貯留する発射球貯留部と、遊技者によって操作可能な操作手段とが備えられ、各前記回動軸のうちの右側の回動軸を支軸として回動する前記扉の回動軌動を外して前記発射操作手段が配置されていることを特徴とする（２）に記載の遊技機。
【００１２】
（３）の発明によれば、遊技機枠体の遊技領域の下方左側に配置した発射操作手段の反対側に設けられた右側の回動軸を支軸として回動する扉の回動軌動を外して発射操作手段を配置することによって、例えば、遊技者が右手で操作するための操作手段を設けて、これに伴い発射操作手段を遊技者は左手で操作することとすべく遊技機枠体の左側に配置し、さらに、発射球貯留部の背後も同時に開放可能とするために上記扉にこの発射球貯留部を設けて当該扉を例えば遊技機の下部まで大きく張り出す構成とした遊技機においても有効に、発射操作手段と接触することなく開放することが可能となる。これにより、上記のような構成の遊技機であっても、遊技場の管理者が扉と発射操作手段が接触する煩わしさを感じることなく上記扉を開放して作業を行うことができるため、遊技機の設置環境や遊技中の状態などの遊技機の周辺環境による遊技機の管理作業への影響を緩和することによって、遊技場管理者の管理作業を効率的に行うことが可能な遊技機を提供することが可能となる。
【発明の効果】
【００１３】
遊技機枠体の前面に設けられた扉の左右両側に遊技機枠体に対して前方へ回動自在に軸支する回動軸を夫々配置することで、この扉を左右両側のいずれの側からも開閉することが可能となることにより、遊技場の管理者が左右いずれの側からも上記扉を開放して作業を行うことができるため、遊技機の設置環境や遊技中の状態などの遊技機の周辺環境による遊技機の管理作業への影響を緩和することによって、遊技場管理者の管理作業を効率的に行うことが可能な遊技機を提供することが可能となる。
【発明を実施するための最良の形態】
【００１４】
以下に、本発明に好適な実施形態について図面に基づいて説明する。尚、以下において説明する実施形態においては、本発明に係る遊技機に好適な実施形態として本発明を第１種パチンコ遊技機（デジパチとも称される。）に適用した場合を示す。
【００１５】
［遊技機の構成］
まず、遊技機の概観について図１及び図２を用いて説明する。図１は、本実施形態におけるパチンコ遊技機１１０の前方の概観を示す斜視図である。図２は、本実施形態におけるパチンコ遊技機１１０の概観を示す分解斜視図である。
【００１６】
図１及び図２に示すように、パチンコ遊技機１１０は、枠体２と、枠体２における開口の内部に配設される各種の部品と、枠体２の前方に開閉自在に軸着された扉１とから構成されている。この扉１は、図１に示すように、枠体２の開口を前面から閉鎖するためのものであり、下部に上皿１２０、下皿１２２等が配設されており、通常閉鎖した状態で遊技が行われる。また、扉１には、遊技者によって操作可能な操作手段の一例である操作ボタン１８４が設けられている。また、枠体２の前面には、後述の遊技領域１１５の下方左側に、遊技者による操作に応じて遊技球を遊技領域１１５に向けて発射する発射操作手段の一例である発射ハンドル１２６等が配設されている。
【００１７】
また、枠体２の開口内部には、後述するように、遊技盤１１４、液晶表示装置１３２、等が配設されている。なお、遊技盤１１４、液晶表示装置１３２以外の各種の部品（図示せず）については、理解を容易にするために説明を省略する。
【００１８】
上述した扉１の中央には、透光性を有する保護ガラス１１９が配設されている。この保護ガラス１１９は、扉１が閉鎖された状態で、後述する遊技盤１１４の前面に対面するように配設されている。
【００１９】
上述した扉１の前面上部には、シリンダー錠３１が配設され、扉１の下部には、上皿１２０及び下皿１２２が配設されている。また、上皿１２０の左上部には、遊技者によって操作可能な操作ボタン１８４が配設されている。
【００２０】
シリンダー錠３１によって、扉１は枠体２に施錠して閉鎖することができる。上皿１２０には、遊技領域１１５に発射させるための遊技球が貯留される。また、上皿１２０及び下皿１２２には、遊技球の貸し出し、遊技球の払出し（賞球）を行うための払出口（図示せず）が形成されており、所定の条件が成立した場合には、後述する球払出ユニットに貯留されている遊技球が排出されることとなる。このように、上皿１２０は、遊技領域１１５に向けて発射するための遊技球を貯留する発射球貯留部の一例として機能する。
【００２１】
上述した発射ハンドル１２６は、下皿１２２の左側方に位置するように、枠体２に配設されている。この発射ハンドル１２６は、回動自在に設けられており、遊技者によって発射ハンドル１２６が操作されることによりパチンコ遊技を進めることができる。また、発射ハンドル１２６の裏側には、発射ソレノイド（図示せず）が配設されている。尚、遊技を行う遊技者は、発射ハンドル１２６等の操作が可能なパチンコ遊技機１１０の前方側に位置することとなる。つまり、このパチンコ遊技機１１０は、前方から遊技可能である。
【００２２】
また、この発射ハンドル１２６の周縁には、タッチセンサ（図示せず）、発射停止スイッチ（図示せず）などが配設されている。このタッチセンサが触接されたときには、遊技者により発射ハンドル１２６が握持されたと検知される。発射ハンドル１２６が遊技者によって握持され、かつ、時計回り方向へ回動操作されたときには、その回動角度に応じて発射ソレノイドに電力が供給され、上皿１２０に貯留された遊技球が遊技盤１１４に順次発射される。また、発射ハンドル１２６が回動操作されている場合であっても、この発射停止スイッチが操作されたときには、発射装置（図示せず）によって遊技球が発射されない。このように、発射ハンドル１２６は、遊技者による操作に応じて遊技球を遊技領域１１５に向けて発射する発射操作手段の一例として機能する。
【００２３】
尚、発射ハンドル１２６に設けられるタッチセンサは、遊技者が発射ハンドル１２６を握持したと判別できるものであればよく、光学的に検知するものや、熱により検知するもの等、センサの種類を問わない。
【００２４】
上述した遊技盤１１４は、扉１における保護ガラス１１９の後方に位置するように配設されている。この遊技盤１１４は、その全部が透光性を有する板形状の樹脂によって形成されている。この透光性を有する樹脂としては、例えば、アクリル樹脂、ポリカーボネート樹脂、メタクリル樹脂など各種の材質が該当する。遊技盤１１４は、その前面に、発射された遊技球が転動可能な遊技領域１１５を有している。また、遊技盤１１４における遊技領域１１５には複数の障害釘１１３が打ちこまれている。このように、発射装置によって発射された遊技球は、遊技領域１１５上に設けられたガイドレール（図示せず）に案内されて遊技領域１１５の上部に移動し、その後、上述した複数の障害釘１１３との衝突によりその進行方向を変えながら遊技領域１１５の下方に向かって落下することとなる。また、このような遊技領域１１５においては、後述のように、各種の役物が取り付け可能となっている。
【００２５】
上述したように、扉１は、枠体２に軸着され、扉１の中央には開口が形成されている。このため、液晶表示装置１３２が、透光性を有する遊技盤１１４、保護ガラス１１９を介して、前方から視認可能となる。このように、扉１は、遊技機枠体の前面に、光透過性素材を有し遊技領域１１５を視認可能に設けられた扉の一例として機能する。また、この扉１の上方には、スピーカ１４６Ｌ、１４６Ｒが配設される。
【００２６】
上述した液晶表示装置１３２は、扉１に配設されている。この液晶表示装置１３２は、遊技に関する画像を表示するための画像表示手段の一例である。この液晶表示装置１３２は、扉１を介して、遊技盤１１４の後方（背面側）に配設されることとなる。また、液晶表示装置１３２は、扉１を介して遊技盤１１４の全部又は一部と背面側から重なるように配設されている。この液晶表示装置１３２には、遊技に係る背景画像、演出画像等、各種の画像が表示される。この液晶表示装置１３２は、遊技に関する画像を表示するための画像表示手段の一例である。
【００２７】
このように、遊技者によってパチンコ遊技機１１０の前方から遊技が行われている場合、つまり、扉１が閉鎖した状態である場合には、透光性を有する遊技盤１１４の背面側に液晶表示装置１３２が配設されるとともに、遊技盤１１４の前面側に透光性を有する保護ガラス１１９が配設されるので、液晶表示装置１３２に表示された画像が、透光性を有する遊技盤１１４及び保護ガラス１１９を介して遊技者に対して視認可能となる。
【００２８】
尚、この液晶表示装置１３２に表示される画像の一例として、特別図柄ゲームにおける識別情報を挙げる。例えば、液晶表示装置１３２には、特別図柄ゲームにおける識別情報が可変表示される。この識別情報は、特別図柄ゲームにおいて主に特別図柄から構成されるものである。この識別情報は、数字や記号等からなる図柄であり、本実施形態においては、“０”から“９”までの数字を用いる。
【００２９】
「可変表示」とは、変動可能に表示される概念であり、例えば、実際に変動して表示される「変動表示」、実際に停止して表示される「停止表示」等を可能とするものである。また、「可変表示」は、特別図柄ゲームの結果として識別情報が表示される「導出表示」を行うことができる。また、変動表示が開始されてから導出表示されるまでを１回の可変表示と称する。
【００３０】
この液晶表示装置１３２には、複数の図柄列（本実施形態においては３列）に対応する識別情報が可変表示される。これら複数の図柄列において識別情報の導出表示が行われ、導出表示された複数の識別情報の組合せが特定の表示態様（例えば、複数の図柄列のそれぞれに“０”から“９”のいずれかが全て揃った状態で導出表示される態様、所謂「大当り表示態様」）になったことに基づいて、遊技状態を遊技者にとって有利な特定遊技状態（所謂大当り）に移行することとなる。尚、本実施形態においては、識別情報を複数の図柄列で構成したが、これに限らず、例えば、識別情報を一列の図柄列で構成してもよく、識別情報を用いない構成であってもよい。
【００３１】
また、上皿１２０の右上部に配設された遊技者によって操作可能な操作ボタン１８４、が配設されている。例えば、この操作ボタン１８４を用いて、液晶表示装置１３２などの変動表示手段において、演出として変動表示された識別情報（図示せず）を遊技者による操作ボタン１８４の操作に基づいて停止表示させる識別情報停止ゲームを実行する構成とすることもできる。このように、操作ボタン１８４は、遊技者によって操作可能な操作手段の一例として機能する。
【００３２】
尚、本実施形態において、画像を表示する部分として液晶ディスプレイパネルからなる液晶表示装置１３２を採用したが、これに限らず、他の態様であってもよく、例えば、ＣＲＴ（Ｃａｔｈｏｄｅ  Ｒａｙ  Ｔｕｂｅ）を含むブラウン管、ドットＬＥＤ、セグメントＬＥＤ、ＥＬ（Ｅｌｅｃｔｒｏｎｉｃ  Ｌｕｍｉｎｅｓｃｅｎｔ）、プラズマ等からなるものであってもよい。また、特別図柄ゲームにおける識別情報としての特別図柄などを、液晶表示装置１３２における所定の位置に表示するように構成したが、これに限らず、例えば、遊技者に対して視認可能な位置であれば別の態様であってもよい。また、表示手段として液晶表示装置１３２を採用したが、これに限らず、別の態様であってもよく、例えば、表示手段としてドラム、ベルト、リーフ等を可変表示手段として採用してもよい。もちろん、このような表示手段を備えなくてもよい。
【００３３】
上述した枠体２は、木製の枠体であり、その前方に扉１が軸着される。また、この枠体２の内部には、遊技を行う遊技領域１１５を有する遊技盤１１４、液晶表示装置１３２、詳しくは後述する基板ユニット（図示せず）及び球払出ユニット（図示せず）などが配置される。すなわち、枠体２は、遊技を行う遊技領域１１５を前面側に形成する遊技機枠体の一例である。尚、本実施形態においては、木製の枠体２を用いた構成としたが、これに限らず、別の態様であってもよく、例えば、金属製、樹脂製の枠体を用いた構成としてもよい。
【００３４】
基板ユニット及び球払出ユニットは、枠体２の内部に配設されている。基板ユニットは、遊技の進行、結果を決定するための主制御回路（図示せず）を有する主制御基板（図示せず）と、画像、音、ランプなどの演出の制御を行うための副制御回路（図示せず）を有する副制御基板（図示せず）と、払出・発射制御回路（図示せず）、電力供給回路（図示せず）を有する基板（図示せず）などが内蔵されており、それらの基板が基板ケース（図示せず）によって覆われている。
【００３５】
球払出ユニットは、枠体２の内部に配設されている。球払出ユニットには、遊技球を貯留可能な遊技球貯留部としての球貯留タンク（図示せず）と、球通路ケース（図示せず）とから構成される。この球貯留タンクには、上方に開放された開口が形成され、遊技場における球搬送設備などから供給される遊技球を受け入れる。また、球通路ケースには、球貯留タンクに貯留されている遊技球を、払出口（図示せず）などへと導くための二条の球通路（図示せず）が配設されている。
【００３６】
次に、図３を用いて、パチンコ遊技機１１０の概観を詳細に説明する。図３は、本実施形態におけるパチンコ遊技機１１０の概観を示す正面図である。なお、図３を用いたパチンコ遊技機１１０の概観の説明では、図１及び図２を用いたパチンコ遊技機１１０の概観の説明と重複する部分を省略する。また、図３において、遊技盤１１４に打ち込まれている複数の障害釘１１３の記載を省略している。
【００３７】
図３に示すように、この遊技盤１１４に設けられた遊技領域１１５の前面中央には、障害物１５５、１５７、通過ゲート１５４ａ、１５４ｂ、所定領域を形成する始動口１２５、シャッタ１４０、大入賞口１３９、一般入賞口１５６ａ、１５６ｂ、１５６ｃ、１５６ｄ等の遊技部材が配設されている。始動口１２５に遊技球が入球したことを条件として、液晶表示装置１３２において識別情報の可変表示が実行されることとなる。また、この識別情報の可変表示の結果に応じて、通常遊技状態よりも遊技者にとって有利な特定遊技状態（所謂、「大当り」）となる。この特定遊技状態となった場合には、シャッタ１４０が開放状態に制御され、大入賞口１３９に遊技球が受け入れ可能な開放状態となることがある。また、このような遊技盤１１４に設けられた遊技領域１１５においては、各種の役物が取り付け可能となっている。このように、枠体２は、遊技球が転動する遊技領域１１５を前面側に形成する遊技機枠体の一例として機能する。
【００３８】
発射された遊技球は、遊技領域１１５上に設けられたガイドレール（図示せず）に案内されて、遊技盤１１４の上部に移動し、前述した複数の障害釘１１３、遊技盤１４上に設けられた障害物１５５、１５７等との衝突により、その進行方向を変えながら遊技盤１１４の下方に向かって流下する。
【００３９】
また、前述した始動口１２５、一般入賞口１５６ａ〜１５６ｄ、大入賞口１３９における特定領域及び一般領域に遊技球が入賞又は通過したときには、それぞれの入賞口の種類に応じて予め設定されている数の遊技球が上皿１２０又は下皿１２２に払い出される。
【００４０】
［扉の構成］
次に、扉１の構成を図４により説明する。図４は扉１を裏面から観た斜視図である。
【００４１】
図４において、シリンダー錠３１は、扉１の前面縁部であって左右の概中心に取り付けられている。レバー３は、シリンダー錠３１の回転軸に一端が固定されており、当該シリンダー錠３１の回転により往復角運動するローラ３Ａを他端に有している。
【００４２】
従動往復板４は、扉１の前面と平行する板面を有しており、ローラ３Ａの往復角運動が扉１の左右方向と平行するように往復直線運動に変換される。
【００４３】
傾斜板４Ａと傾斜板４Ｂは上下方向に対向する傾斜面を有している。同様に、傾斜板４Ｃと傾斜板４Ｄは上下方向に対向する傾斜面を有している。
【００４４】
一対の傾斜板４Ａ及び４Ｂは、前述の往復直線に対して鋭角の二等分線をなすように、従動往復板４における前面視左側の終縁部にそれぞれ配置されている。同様に、一対の傾斜板４Ｃ及び４Ｄには、前記往復直線に対して鋭角の二等分線をなすように、従動往復板４における正面視右側の終縁部にそれぞれ配置されている。
【００４５】
一対の横設ピン５Ａ及び５Ｂは、それぞれの円周が対応する傾斜板４Ａ及び４Ｂにおける一対の傾斜面に当接して、傾斜板４Ａ及び４Ｂとすべり結合する。同様に、一対の横設ピン５Ｃ及び５Ｄは、それぞれの円周が対応する傾斜板４Ｃ及び４Ｄにおける一対の傾斜面に当接して、傾斜板４Ｃ及び４Ｄとすべり結合する。
【００４６】
上軸１Ａの上端部は回転ピン１Ｃが形成されており、上軸１Ａの下端部は摺動ピン１Ｄが形成されている。下軸１Ｂの下端部は回転ピン１Ｃが形成されており、下軸１Ｂの上端部は摺動ピン１Ｄが嵌装される座ぐり穴１Ｅが形成されている。
【００４７】
これら上軸１Ａと下軸１Ｂが組み合わされて、扉１の上下に突出する回転ピン１Ｃを備える垂直滑動回動軸１１及び１２を構成している。これら上軸１Ａと下軸１Ｂの間には圧縮コイルばね１Ｓが介装され、上軸１Ａと下軸１Ｂが互いに離間するように圧縮コイルばね１Ｓで付勢されている。
【００４８】
これら上軸１Ａと下軸１Ｂは、図４に示されるように四角棒で形成されており、四角棒の垂直滑動回動軸１１及び１２のそれぞれの両縁部は、軸方向には滑動可能であるが軸回りには回転しないようにすべり軸受６Ａ及び６Ｂで保持されている。このような左右一対の上軸１Ａと下軸１Ｂの側面から横設ピン５Ａ〜５Ｄが突出して、対応する傾斜板４Ａ〜４Ｄとすべり結合している。つまり、対となる傾斜板４Ａ〜４Ｄと横設ピン５Ａ〜５Ｄはそれぞれの直線運動が直交する直動カム装置を構成している。
【００４９】
また、図４に示されるように、扉１は後方が開口した直方体状の箱型のフレーム６０で構成されている。フレーム６０の上面板６０Ａと下面板６０Ｂには、それぞれの内壁に一対のすべり軸受６Ａ及び６Ｂが固定されている。
【００５０】
そして、上面板６０Ａと下面板６０Ｂに相反するように突出した一組の回転ピン１Ｃは、枠体２の上部に取り付けられている上部係合部材２０Ａと、枠体２の中央よりやや下方に取り付けられている下部係合部材２０Ｂとで回動可能に支持されている。
【００５１】
次に、本実施形態による開閉機構の作用を図５（ａ）、（ｂ）、（ｃ）により説明する。図５（ａ）は扉１の正面図、図５（ｂ）は図５（ａ）の横断面図、図５（ｃ）は図５（ａ）の縦断面図である。
【００５２】
なお、この開閉機構は左右線対称に配置されており、その動作も左右対称に実行されるため、右方の垂直滑動回動軸１２を支軸として扉１を開閉可能とするとして以下に説明する。
【００５３】
従動往復板４は横長穴４１が上下２箇所に形成されており、この横長穴４１に立設ピン４２がすべり結合して、従動往復板４は扉１の左右方向のみに運動が限定される。この立設ピン４２は、上面板６０Ａに下設されるアングル６０Ｃに片端支持されている。
【００５４】
また、従動往復板４は上部中央部に矩形の切り欠き溝４３が形成されており、この切り欠き溝４３がレバー３に取り付けられているローラ３Ａとすべり結合する。つまり、レバー３と従動往復板４は、ローラ３Ａの往復角運動が従動往復板４の往復直線運動に変換される確動カム装置を構成している。
【００５５】
シリンダー錠３１を時計方向Ａに回転すると、従動往復板４は矢印Ｌの方向に移動し、シリンダー錠３１を反時計方向Ｂに回転すると、従動往復板４は矢印Ｒの方向に移動する。なお、図５は従動往復板４が中立の状態を示している。
【００５６】
一方、矩形状の従動往復板４の四隅には４５度の角度で４つの傾斜板４Ａ〜４Ｄが取り付けられている。そして、これら傾斜板４Ａ〜４Ｄの内壁（対向面）に円柱状の横設ピン５Ａ〜５Ｄの円周が線接触する。つまり、横設ピン５Ａ〜５Ｄと対応する傾斜板４Ａ〜４Ｄはすべり結合している。
【００５７】
シリンダー錠３１を反時計方向Ｂに回転すると、従動往復板４は矢印Ｒの方向に移動する。従動往復板４の移動に伴って、一対の傾斜板４Ａ及び４Ｂは一対の横設ピン５Ａ及び５Ｂが互いに近づくように、垂直分力が作用する。
【００５８】
そして、上軸１Ａと下軸１Ｂが矢印Ｕで示された圧縮コイルばね１Ｓの付勢力に抗して矢印Ｄの方向に近接することにより、回転ピン１Ｃと枠体２との結合が解除される。そして、垂直滑動回動軸１２を支軸として扉１を開くことができる。
【００５９】
なお、上述の様に、この開閉機構は左右線対称に配置されており、その動作も左右対称に実行されるため、このように構成されている扉１は、シリンダー錠３１をキー３２で時計方向Ａに回転すると、例えば、一方の垂直滑動回動軸１２の当該回転ピン１Ｃは枠体２との連結が解除され、他方の垂直滑動回動軸１１を支軸として扉１を開くこともできる。
【００６０】
換言すれば、垂直滑動回動軸１１及び垂直滑動回動軸１２がその左右両側に配置されている扉１は、その左右両側に遊技機枠体に対して前方へ回動自在に軸支する回動軸が夫々配置されている扉の一例として機能する。
【００６１】
このように、遊技機枠体の前面に設けられた扉の左右両側に遊技機枠体に対して前方へ回動自在に軸支する回動軸を夫々配置することで、この扉を左右両側のいずれの側からも開閉することが可能となるため、遊技場の管理者が左右いずれの側からも上記扉を開放して作業を行うことができ、遊技機の設置環境や遊技中の状態などの遊技機の周辺環境による遊技機の管理作業への影響を緩和することで、遊技場管理者の管理作業を効率的に行うことが可能な遊技機を提供することが可能となる。
【００６２】
図６は、垂直滑動回動軸１２を支軸として扉１が開いた状態図である。また、２点鎖線で描かれた扉１は、垂直滑動回動軸１１を支軸として扉１が開いた状態図である。
【００６３】
図６において、枠体２の下部左側には、上述の様に、遊技者による操作に応じて遊技球を遊技領域１１５に向けて発射する発射ハンドル１２６が配置されている。
【００６４】
図６の実線で描かれた扉１は、垂直滑動回動軸１２を支軸として右側に開いた状態である。２点鎖線で描かれた扉１（垂直滑動回動軸１１を支軸として左側に開いた状態）は、扉１が発射ハンドル１２６と接触した状態である。実線で描かれているように、垂直滑動回動軸１２を支軸にして扉１を回動し、扉１を右側に開放することにより、２点鎖線で描かれた扉１（垂直滑動回動軸１１を支軸として左側に扉１が開いた状態）のように扉１を発射ハンドル１２６と接触することなく、開放することが可能である。
【００６５】
換言すれば、枠体２の遊技領域１１５の下方における左右のいずれか一方である左側に発射操作手段の一例である発射ハンドル１２６が配置され、この発射ハンドル１２６が配置されていない側である右側の、回動軸の一例である垂直滑動回動軸１２を支軸として回動する扉１の回動軌動を外して発射ハンドル１２６が配置されている。
【００６６】
このように、遊技機枠体の遊技領域の下方における左右のいずれか一方に発射操作手段が配置され、この発射操作手段が配置されていない側の回動軸を支軸として回動する扉の回動軌動を外して発射操作手段を配置することによって、扉を発射操作手段と接触することなく開放することが可能となるため、遊技場の管理者が扉と発射操作手段が接触する煩わしさを感じることなく上記扉を開放して作業を行うことができ、遊技機の設置環境や遊技中の状態などの遊技機の周辺環境による遊技機の管理作業への影響を緩和することで、遊技場管理者の管理作業を効率的に行うことが可能な遊技機を提供することが可能となる。
【００６７】
また、この発射ハンドル１２６の他、図６においては省略するが、上述の様に、扉１の下部には、遊技球を貯留する上皿１２０及び下皿１２２が配設されている（図２参照）。また、同様に図６においては省略するが、上述の様に、上皿１２０の左上部には、遊技者によって操作可能な操作ボタン１８４が配設されている（図２参照）。
【００６８】
換言すれば、枠体２の遊技領域１１５の下方における左右のいずれか一方である左側に発射操作手段の一例である発射ハンドル１２６が配置され、この発射ハンドル１２６が配置されていない側である右側の、回動軸の一例である垂直滑動回動軸１２を支軸として回動する扉１の回動軌動を外して発射ハンドル１２６が配置されている。
【００６９】
このように、遊技機枠体の遊技領域の下方左側に配置した発射操作手段の反対側に設けられた右側の回動軸を支軸として回動する扉の回動軌動を外して発射操作手段を配置することによって、例えば、遊技者が右手で操作するための操作手段を設けて、これに伴い発射操作手段を遊技者は左手で操作することとすべく遊技機枠体の左側に配置し、さらに、発射球貯留部の背後も同時に開放可能とするために上記扉にこの発射球貯留部を設けて当該扉を、例えば遊技機の下部まで大きく張り出す構成とした遊技機においても有効に、発射操作手段と接触することなく開放することが可能となるため、上記のような構成の遊技機であっても、遊技場の管理者が扉と発射操作手段が接触する煩わしさを感じることなく上記扉を開放して作業を行うことができ、遊技機の設置環境や遊技中の状態などの遊技機の周辺環境による遊技機の管理作業への影響を緩和することで、遊技場管理者の管理作業を効率的に行うことが可能な遊技機を提供することが可能となる。
【００７０】
また、図６において、垂直滑動回動軸１２の上軸１Ａ及び下軸１Ｂを互いに近づけることにより、扉１を枠体２から分離することもできる。このように、扉１を枠体２から分離することにより、例えば、遊技機内部の維持管理作業が容易となる。
【００７１】
さらに、開口部６０４から基板ユニット（図示せず）、球払出ユニット（図示せず）等を取り出すことができ、別の部品と交換することもできる。
【００７２】
なお、上述の実施形態においては、レバー３は扉１のシリンダー錠３１に取り付けられるものとしたが、レバー３を取り付ける場所はシリンダー錠３１に限らず、直接管理者が操作できるように、扉１の外部にレバー３の一部を露出する構造としてもよい。
【００７３】
また、上述した実施形態においては、第１種パチンコ遊技機を例に挙げたが、これに限らず、羽根モノ、ヒコーキモノと称される第２種パチンコ遊技機、権利モノと称される第３種パチンコ遊技機、その他別の態様であってもよい。
【００７４】
また、本実施形態においては、パチンコ遊技機等の遊技機自体に本発明を適用したが、パチスロ遊技機、ゲーム機などに適用してもよい。
【００７５】
以上、本発明の実施例を説明したが、具体例を例示したに過ぎず、特に本発明を限定するものではない。すなわち、本発明は、主に、遊技球が転動する遊技領域を前面側に形成する遊技機枠体と、前記遊技機枠体の前面に、光透過性素材を有し前記遊技領域を視認可能に設けられた扉とを備えた遊技機であって、前記扉は、その左右両側に前記遊技機枠体に対して前方へ回動自在に軸支する回動軸が夫々配置されていることを特徴とする遊技機であるが、遊技機枠体、扉などの具体的構成は、適宜設計変更可能である。
【００７６】
尚、本発明の実施例に記載された効果は、本発明から生じる最も好適な効果を列挙したに過ぎず、本発明による効果は、本発明の実施例に記載されたものに限定されるものではない。
【図面の簡単な説明】
【００７７】
【図１】本発明の一実施形態のパチンコ遊技機における概観を示す斜視図である。
【図２】本発明の一実施形態のパチンコ遊技機における概観を示す分解斜視図である。
【図３】本発明の一実施形態のパチンコ遊技機における概観を示す正面図である。
【図４】本発明の一実施形態のパチンコ遊技機における扉を裏面から観た斜視図である。
【図５】本発明の一実施形態のパチンコ遊技機における開閉機構の作用を説明する図である。
【図６】本発明の一実施形態のパチンコ遊技機における垂直滑動回動軸を支軸として扉が開いた状態図である。
【符号の説明】
【００７８】
１    扉
２    枠体
３    レバー
４Ａ〜４Ｄ    傾斜板
５Ａ〜５Ｄ    横設ピン
６Ａ，６Ｂ    軸受
１１，１２    垂直滑動回動軸
３１    シリンダー錠
３２    キー
１１０    パチンコ遊技機
１１３    障害釘
１１４    遊技盤
１１５    遊技領域
１１９    保護ガラス
１２０    上皿
１２２    下皿
１２４    入賞口
１２５    始動口
１２６    発射ハンドル
１３２    液晶表示装置
１３９    大入賞口
１４０    シャッタ
１４６Ｒ，１４６Ｌ    スピーカ
１５５    障害物
１５７    障害物
１８４    操作ボタン
【図１】
2007075459.tif 000003
【図２】
2007075459.tif 000004
【図３】
2007075459.tif 000005
【図４】
2007075459.tif 000006
【図５】
2007075459.tif 000007
【図６】
2007075459.tif 000008